(57)【要約】【課題】おむつの通気性を向上させつつ排泄物の漏れを抑制する。【解決手段】着用者の肌に対向する肌対向面よりも非肌側に吸収体２１を備えたおむつ２は、第一溝３と第二溝４と凹部６とを備えている。第一溝３は、おむつ２の長手方向の端部２ｒを含む端領域２０が幅方向に伸長可能に皺寄せられてなり、端領域２０の肌対向面において非肌側へ窪む。第二溝４は、端領域２０よりも長手方向の内側で少なくとも一部が厚み方向視で吸収体２１と重複すると共に第一溝３から離間して設けられ、肌対向面において非肌側へ窪む。凹部６は、第一溝３及び第二溝４の間の肌対向面において幅方向に延在し、第一溝３と第二溝４とを互いに連通させる。【選択図】図５
2022002683.tif 000002
【特許請求の範囲】
【請求項１】
着用者の肌に対向する肌対向面よりも非肌側に吸収体を備えたおむつであって、
長手方向の端部を含む端領域が幅方向に伸長可能に皺寄せられてなり、前記端領域の前記肌対向面において非肌側へ窪む第一溝と、
前記端領域よりも長手方向の内側で少なくとも一部が厚み方向視で前記吸収体と重複すると共に前記第一溝から離間して設けられ、前記肌対向面において非肌側へ窪む第二溝と、
前記第一溝及び前記第二溝の間の前記肌対向面において非肌側へ窪むと共に幅方向に延在し、前記第一溝と前記第二溝とを互いに連通させる凹部と、を備えた
ことを特徴とする、おむつ。
【請求項２】
前記第一溝には、前記第二溝の延長線上から前記端部まで延びた延長溝が含まれる
ことを特徴とする、請求項１に記載のおむつ。
【請求項３】
前記端領域は、前記第一溝の底部に固定されると共に前記第一溝の側部には固定されずに設けられて幅方向に弾性変形する第一弾性部材を有する
ことを特徴とする、請求項１又は２に記載のおむつ。
【請求項４】
前記凹部よりも幅方向の外側の前記肌対向面において非肌側へ窪むと共に前記端領域よりも長手方向の内側から前記端部まで延在する第三溝を備えた
ことを特徴とする、請求項１〜３のいずれか一項に記載のおむつ。
【請求項５】
前記凹部は、前記吸収体よりも長手方向の外側で前記吸収体の長手方向の端部に沿って設けられた
ことを特徴とする、請求項１〜４のいずれか一項に記載のおむつ。
【請求項６】
前記吸収体は、長手方向の中間部をなす主部と、前記主部よりも長手方向の外側で幅方向に延在すると共に厚み方向の寸法が前記主部に比べて小さい薄肉部と、を有し、
前記凹部は、厚み方向視で前記薄肉部と重なる領域に設けられた
ことを特徴とする、請求項１〜５のいずれか一項に記載のおむつ。
【請求項７】
前記凹部の幅方向の両側で肌側に突設されると共に長手方向に延在する一対の壁部を備えた
ことを特徴とする、請求項１〜６のいずれか一項に記載のおむつ。
【請求項８】
前記壁部は、長手方向に弾性変形する第二弾性部材を有し、前記第二弾性部材が長手方向に収縮することで肌側に起立する
ことを特徴とする、請求項７に記載のおむつ。
【請求項９】
長手方向及び幅方向に沿って配置されたベース材と前記ベース材の肌側に重ねられた表面材とを有し、前記肌対向面をなすトップシートを備え、
前記第二溝には、前記表面材が前記ベース材に断続的に固定されてなる接合溝が含まれる
ことを特徴とする、請求項１〜８のいずれか一項に記載のおむつ。
【請求項１０】
前記第二溝には、前記肌対向面をなすトップシートが圧搾されてなる圧搾溝が含まれる
ことを特徴とする、請求項１〜９のいずれか一項に記載のおむつ。
【請求項１１】
前記吸収体は、非肌側へ窪む内溝と厚み方向に貫通するスリットとの少なくとも一方を有し、
前記第二溝には、前記肌対向面をなすトップシートの一部が前記内溝及び前記スリットの少なくとも一方に入り込んでなる陥没溝が含まれる
ことを特徴とする、請求項１〜１０のいずれか一項に記載のおむつ。
【請求項１２】
前記第一溝には、長手方向に沿って延在する第一直線溝が含まれる
ことを特徴とする、請求項１〜１１のいずれか一項に記載のおむつ。
【請求項１３】
前記第二溝には、長手方向に沿って延在する第二直線溝が含まれる
ことを特徴とする、請求項１〜１２のいずれか一項に記載のおむつ。
【請求項１４】
前記第二溝には、厚み方向視で前記吸収体と重なる領域において、前記長手方向及び前記幅方向の双方に対して交差する傾斜方向に延在する傾斜溝が含まれる
ことを特徴とする、請求項１〜１３のいずれか一項に記載のおむつ。
【請求項１５】
前記第一溝は、前記凹部から延びた上流部と、前記上流部から前記端部まで延びると共に前記上流部よりも横断面積が大きい下流部と、を有する
ことを特徴とする、請求項１〜１４のいずれか一項に記載のおむつ。
【請求項１６】
前身頃及び後身頃の一方における幅方向の両側に設けられ、前記前身頃及び前記後身頃の他方に止着される止着テープを備え、
前記第一溝は、前記前身頃及び前記後身頃の前記一方における前記止着テープの間に設けられた
ことを特徴とする、請求項１〜１５のいずれか一項に記載のおむつ。
【請求項１７】
前身頃及び後身頃の幅方向の両端部が互いに連結されてなる環状の胴回り部を備え、
前記第一溝は、前記胴回り部に設けられた
ことを特徴とする、請求項１〜１５のいずれか一項に記載のおむつ。
【請求項１８】
前記端領域において、前記第一溝をなす肌側部材を仮想的に幅方向に伸長させて平面状にした場合の幅方向の寸法が、前記肌側部材よりも非肌側に配置された非肌側部材を幅方向に最も伸長させた場合の幅方向の寸法よりも大きい
ことを特徴とする、請求項１〜１７のいずれか一項に記載のおむつ。
【発明の詳細な説明】
【技術分野】
【０００１】
本件は、肌対向面に溝を備えたおむつに関する。
【背景技術】
【０００２】
従来、通気性を向上させるために、着用者の肌に対向する肌対向面にエンボスとも呼ばれる溝を備えたおむつが知られている。例えば、肌対向面（肌当接面）をなす表面シートに千鳥状のパターンで凹凸形状が設けられた溝付きのおむつが提案されている（特許文献１参照）。
【先行技術文献】
【特許文献】
【０００３】
【特許文献１】特開２０１６−０３４３４１号公報
【発明の概要】
【発明が解決しようとする課題】
【０００４】
しかしながら、肌対向面に千鳥状に設けられた溝（凹部）は、装着状態のおむつにおいて外部に連通しないため、おむつ内の空気を外部に排出できない虞がある。一方で、装着状態のおむつにおいて、尿や便等の排泄物が着用者より排泄されうる箇所から外部まで溝が連通する構造では、空気と共に排泄物も漏れやすくなる虞がある。よって、従来のおむつは、通気性を向上させつつ排泄物の漏れを抑制するうえで改善の余地がある。
【０００５】
本件は、上記のような課題に鑑みて創案されたものであり、おむつの通気性を向上させつつ排泄物の漏れを抑制することを目的の一つとする。
【課題を解決するための手段】
【０００６】
本件のおむつは、着用者の肌に対向する肌対向面よりも非肌側に吸収体を備えたおむつであって、長手方向の端部を含む端領域が幅方向に伸長可能に皺寄せられてなり、前記端領域の前記肌対向面において非肌側へ窪む第一溝と、前記端領域よりも長手方向の内側で少なくとも一部が厚み方向視で前記吸収体と重複すると共に前記第一溝から離間して設けられ、前記肌対向面において非肌側へ窪む第二溝と、前記第一溝及び前記第二溝の間の前記肌対向面において非肌側へ窪むと共に幅方向に延在し、前記第一溝と前記第二溝とを互いに連通させる凹部と、を備えたことを特徴としている。
【発明の効果】
【０００７】
本件によれば、おむつの通気性を向上させつつ排泄物の漏れを抑制できる。
【図面の簡単な説明】
【０００８】
【図１】おむつの分解斜視図である。
【図２】おむつを肌側から視た平面図である。
【図３】端領域が皺寄せられたおむつの後身頃を肌側から視た平面図である。
【図４】第一溝の構成を説明するための分解斜視図である。
【図５】第一溝，第二溝及び凹部の模式的な平面図である。
【図６】第一溝の模式的な横断面図であり、（ａ）は下流部を示し、（ｂ）は上流部を示す。
【図７】接合溝である第二溝の構成を説明するための分解斜視図である。
【図８】第二溝の変形例を説明するための模式的な断面図であり、（ａ）は圧搾溝を示し、（ｂ）は陥没溝を示す。
【図９】凹部を説明するための模式的な断面図である。
【図１０】凹部の変形例を説明するための模式的な断面図である。
【図１１】第一変形例に係るおむつの第一溝，第二溝及び凹部の模式的な平面図（図５に対応する図）である。
【図１２】第二変形例に係るおむつの斜視図である。
【図１３】端領域における肌側部材及び非肌側部材の幅方向の寸法を比較する模式的な断面図である。
【図１４】装着状態のおむつを例示した斜視図である。
【発明を実施するための形態】
【０００９】
本件のおむつを実施するための形態を説明する。この実施形態はあくまでも例示に過ぎず、下記の実施形態で明示しない種々の変形や技術の適用を排除する意図はない。本実施形態の各構成は、それらの趣旨を逸脱しない範囲で種々変形して実施できる。また、必要に応じて取捨選択でき、あるいは適宜組み合わせることができる。
【００１０】
［１．構成］
［１−１．全体構成］
まず、図１及び図２を参照して、本実施形態に係るおむつ２の全体構成を説明する。
本実施形態のおむつ２は、着用者に装着された装着状態において、着用者の腹部に対向する前身頃２Ａと、着用者の背部に対向する後身頃２Ｂとが、止着テープ１（以下、単に「テープ１」という）で互いに連結されるテープ型のものである。ここでは、おむつ２として紙おむつ（いわゆる使い捨ておむつ）を例示する。なお、おむつ２には、上記の前身頃２Ａ及び後身頃２Ｂに加えて、装着状態で着用者の股間に対向する股下部２Ｃが設けられる。股下部２Ｃは、おむつ２が平面状に広げられた展開状態で、前身頃２Ａと後身頃２Ｂとの間に位置する。
【００１１】
以下、展開状態で前身頃２Ａと後身頃２Ｂとを結ぶ方向を「長手方向」とする。また、装着状態で着用者の肌に向かう側を「肌側」とし、この反対側を「非肌側」とする。さらに、肌側と非肌側とを結ぶ方向を「厚み方向」とし、長手方向と厚み方向とのいずれにも直交する方向を「幅方向」とする。そのほか、厚み方向から視ることを「平面視」とする。
本実施形態のおむつ２は、幅方向の中心線Ｏを基準として対称に形成されている。おむつ２は、テープ１と、吸収体２１と、種々のシート２２〜２６と、種々のギャザー２７〜２９とを備えている。以下、これらの構成について順に説明する。
【００１２】
＜テープ＞
テープ１は、前身頃２Ａ及び後身頃２Ｂの一方における幅方向の両側に着脱不能に設けられ、前身頃２Ａ及び後身頃２Ｂの他方に着脱可能に設けられる。本実施形態では、後身頃２Ｂ（前身頃２Ａ及び後身頃２Ｂの一方）の幅方向の両側に設けられ、おむつ２の装着時に前身頃２Ａ（前身頃２Ａ及び後身頃２Ｂの他方）に止着されるテープ１を例示する。なお、テープ１の個数は特に限定されないが、ここではテープ１が後身頃２Ｂの幅方向の両側に一つずつ（合計一対）設けられた例を示す。
【００１３】
＜吸収体＞
吸収体２１は、水分を吸収して保持するマット状の部材である。吸収体２１は、例えば、高吸水性樹脂（ＳＡＰ；Super Absorbent Polymer）がフラッフパルプに混合されたマットを、親水性の不織布やティシュペーパ等のコアラップシートで被包することにより形成され、テープ１やシート２２〜２６よりも厚み方向の寸法（以下、「厚み寸法」ともいう）が大きい。吸収体２１は、前身頃２Ａと股下部２Ｃと後身頃２Ｂとにわたって長手方向に延びる。吸収体２１は、おむつ２において着用者の肌に対向する肌対向面よりも非肌側に設けられる。すなわち、吸収体２１よりも肌側には、肌対向面をなす部材（本実施形態では後述のトップシート２２）が重ねられる。
【００１４】
＜シート＞
シート２２〜２６はいずれも、展開状態で長手方向及び幅方向に沿って広がるシート状の部材である。
吸収体２１の肌側には、液透過性をもつトップシート２２が配置される。本実施形態のトップシート２２は、おむつ２の肌対向面をなす。トップシート２２は、吸収体２１よりも長手方向及び幅方向に長く形成され、吸収体２１を肌側から被覆するように設けられる。トップシート２２は、例えば、織布や不織布で形成される。
【００１５】
ここでは、おむつ２の長手方向の全域にわたって設けられたトップシート２２を例示する。すなわちトップシート２２は、図２に示すようにおむつ２の長手方向の一端部２ｆから他端部２ｒまで延在する。以下、おむつ２の長手方向一端部２ｆ及び他端部２ｒのうち、前身頃２Ａ側の一方を「腹側端部２ｆ」ともいい、後身頃２Ｂ側の他方を「背側端部２ｒ」ともいう。
【００１６】
トップシート２２の幅方向の外側には、吸収体２１から幅方向の外側への液漏れを防ぐために、液不透過性をもつサイドシート２３が配置される。サイドシート２３は、例えば、ＳＭＳ（Spunbond Meltblown Spunbond）不織布やＳＭＭＳ（Spunbond Meltblown Meltblown Spunbond）不織布で形成される。
各サイドシート２３の幅方向の内側部分２３ａ（壁部）は、厚み方向視でトップシート２２と重なって配置される。以下、この内側部分２３ａを「サイド内側部２３ａ」ともいう。
【００１７】
サイド内側部２３ａは、トップシート２２よりも肌側に設けられ、長手方向に延在する。サイド内側部２３ａは、幅方向の外側の端部がトップシート２２に固定され、幅方向の内側の端部が自由端をなす。したがって、サイド内側部２３ａは、トップシート２２から肌側へフラップ状に突設されている。本実施形態のサイド内側部２３ａは、長手方向に弾性変形する縦弾性部材７（第二弾性部材）を有し、後述の立体ギャザー２７をなす。
【００１８】
図１に示すように、吸収体２１の非肌側には、吸収体２１から非肌側への液漏れを防ぐために、液不透過性をもつバックシート２４が配置される。バックシート２４は、例えばフィルムで形成される。
バックシート２４の非肌側には、バックシート２４を補強すると共に触感（例えば手触り）を向上させるためにカバーシート２５が配置される。カバーシート２５は、例えば、織布や不織布で形成される。なお、カバーシート２５とサイドシート２３との間には、テープ１が挟装される。
【００１９】
カバーシート２５の非肌側には、テープ１が止着されるターゲットゾーンをなすパッチシート２６が貼着される。本実施形態では、前身頃２Ａに設けられたパッチシート２６を例示する。パッチシート２６は、テープ１に設けられる止着材（図示略）と共にファスニング機構を構成する。このファスニング機構としては、例えば、フック材（雄部材）とループ材（雌部材）とで機械的に結合する面状ファスナーを適用できる。
【００２０】
＜ギャザー＞
ギャザー２７〜２９は、ゴムや伸縮フィルムやポリウレタンといった弾性部材により、サイドシート２３やカバーシート２５等が襞状に皴寄せられて構成される。ギャザー２７〜２９は、おむつ２の着用者へのフィット性を高める機能をもつ。なお、図１及び図２には、ギャザー２７〜２９の皺が延ばされたおむつ２を示す。
【００２１】
立体ギャザー２７は、サイド内側部２３ａが縦弾性部材７により長手方向に伸縮可能に皺寄せられて構成されている。立体ギャザー２７は、トップシート２２の幅方向の両側かつ肌側に一対設けられ、長手方向に延在する。
縦弾性部材７は、各サイド内側部２３ａにおける幅方向の内側の端部に取り付けられている。ここでは、長手方向に沿って延在する糸状の複数の縦弾性部材７が幅方向に間隔をあけて設けられた例を示す。立体ギャザー２７（すなわちサイド内側部２３ａ）は、縦弾性部材７が長手方向に収縮することで肌側に起立する。
【００２２】
レッグギャザー２８は、おむつ２において着用者の脚部に沿う箇所に設けられる。レッグギャザー２８は、例えばサイドシート２３とバックシート２４とカバーシート２５とが皺寄せられて構成される。
ウェストギャザー２９は、おむつ２において着用者の腰部（臀部の上方）に対向する箇所に設けられる。本実施形態のウェストギャザー２９は、幅方向に弾性変形する横弾性部材９（第一弾性部材）により、シート２２〜２５が幅方向に伸長可能に皺寄せられて構成されている。ここでは、長手方向かつ幅方向に沿って配置されたシート状の横弾性部材９を例示する。横弾性部材９は、トップシート２２とバックシート２４との間に挟装されている。
【００２３】
［１−２．要部構成］
図３は、ウェストギャザー２９においてシート２２〜２５が皺寄せられた後身頃２Ｂを肌側から視た平面図である。図３に示すように、おむつ２は、肌対向面において非肌側へ窪む複数の溝３〜５及び凹部６を備えている。
溝３〜５は、装着状態のおむつ２において、着用者の肌との間に隙間をあけて設けられ、空気の通り道となる。なお、図３及び後述の図５には、溝３〜５を太線で模式的に示し、それらの一部のみに符号を付す。
【００２４】
おむつ２では、幅方向の中央に第一溝３及び第二溝４並びに凹部６が配置され、第一溝３及び第二溝４並びに凹部６よりも幅方向の外側に第三溝５が配置されている。
第一溝３は、おむつ２の背側端部２ｒを含む端領域２０が幅方向に伸長可能に皺寄せられてなり、幅方向に伸長可能に収縮した端領域２０の肌対向面に形成される。
第二溝４は、端領域２０よりも長手方向の内側（股下部２Ｃ側）に設けられ、おむつ２の幅方向の伸縮状態にかかわらず肌対向面に形成されている。第二溝４は、尿や便等の排泄物が着用者から排泄されうる箇所を含む領域に配置される。
第一溝３と第二溝４とは、互いに離間して設けられる。言い換えると、第二溝４は、第一溝３から離間して設けられている。
【００２５】
第三溝５は、端領域２０よりも長手方向の内側から背側端部２ｒまで延在する。本実施形態の第三溝５は、端領域２０では第一溝３と同様に皺寄せられ、端領域２０よりも長手方向の内側（股下部２Ｃ側）では第二溝４と同様におむつ２の幅方向の伸縮状態にかかわらず肌対向面に形成されている。
なお、端領域２０は、吸収体２１よりも長手方向の外側に設定される。ここでは、後身頃２Ｂにおいて、背側端部３ｒと横弾性部材９における長手方向の内側の端部９ｃとの間の領域として設定された端領域２０を例示する。端領域２０は、平面視で吸収体２１と離間している。
【００２６】
凹部６は、第一溝３と第二溝４との間に配置され、幅方向に延在する。凹部６は、第一溝３及び第二溝４の間の肌対向面において非肌側へ窪んだ部位であり、第一溝３と第二溝４とを互いに連通させる。凹部６は、第二溝４から第一溝３へ向かう排泄物を捕捉（トラップ）するための空間を画成する。
本実施形態では、凹部６の幅方向の両側において、上記の立体ギャザー２７が肌側に突設されている。言い換えると、凹部６は、縦弾性部材７の収縮により肌側に起立した二つの立体ギャザー２７で幅方向の両側から挟まれている。
【００２７】
第一溝３は、後身頃２Ｂにおける一対のテープ１の間に設けられている。本実施形態の第一溝３は、ウェストギャザー２９で形成されている。すなわち、第一溝３は、肌対向面をなすトップシート２２が横弾性部材９で皺寄せられることにより形成されている。
本実施形態の横弾性部材９は、幅方向に伸長された状態で、平面状のトップシート２２に対して幅方向において断続的に固定（接合）されている。
【００２８】
図４に示すように、横弾性部材９は、長手方向に沿って延在すると共に幅方向に間隔をあけて設けられた複数の接合部９ａにおいてトップシート２２に固定され、接合部９ａの間の非接合部９ｂがトップシート２２に固定されない。横弾性部材９の幅方向の伸長が解除された（又は緩められた）状態では、トップシート２２のうち、横弾性部材９の接合部９ａと固定された部分が第一溝３の底部３１をなし、横弾性部材９と固定されていない部分の一部が第一溝３の側部３２をなす。このように、横弾性部材９は、第一溝３の底部３１に固定され、第一溝３の側部３２には固定されずに設けられる。
【００２９】
図５は、第一溝３及び第二溝４の模式的な平面図である。図５に示すように、本実施形態の第一溝３は、長手方向に沿って延在する上記の接合部９ａにより、厚み方向視で横弾性部材９と重なる領域において、長手方向に沿ってまっすぐに延びる。また、第一溝３は、横弾性部材９よりも長手方向の外側（後述の下流部３３）においても、自由端をなす背側端部２ｒまで長手方向に沿ってまっすぐに延びる。
したがって、本実施形態の各第一溝３は、その全体が長手方向に沿ってまっすぐに延びている。このように、本実施形態の第一溝３はいずれも、長手方向に沿って延在する第一直線溝３Ａである。
【００３０】
また、本実施形態の各第一溝３は、第二溝４の延長線Ｌ上から背側端部２ｒまで延びた延長溝３Ｅでもある。ここでいう延長線Ｌとは、凹部６と平面視で重複する領域において、第二溝４をその延在方向に沿って長手方向の外側へ延長した仮想線である。延長線Ｌは、第二溝４から凹部６に流れた空気の通り道として想定される領域に対応する。延長溝３Ｅは、延長線Ｌ上の始点Ｐ１から背側端部２ｒまで延設されている。
【００３１】
上記の延長線Ｌに対する延長溝３Ｅの位置は、おむつ２の装着状態を基準にして設定されることが好ましい。具体的には、延長溝３Ｅは、着用者の胴部に合わせて横弾性部材９が伸縮した状態で第二溝４の延長線Ｌ上から延びるように設けられることが好ましい。このように装着状態を基準にして配置された延長溝３Ｅには、装着状態で第二溝４からの空気が直接的に流入しやすくなる。このため、通気性を高めるうえで有利となる。
一方で、延長線Ｌに対する延長溝３Ｅの位置は、おむつ２の展開状態を基準にして設定されてもよい。この場合であっても、凹部６を介して第二溝４と連通する延長溝３Ｅには、第二溝４からの空気が凹部６を通じて流入するため、通気性の向上に寄与する。
【００３２】
ここで、各第一溝３のうち、横弾性部材９よりも長手方向の外側（背側端部２ｒ側）に位置する部分を下流部３３ともいい、これ以外の部分（厚み方向視で横弾性部材９と重なる部分）を上流部３４ともいう。各第一溝３において、下流部３３と上流部３４とは連続（連通）している。
上流部３４は、凹部６から長手方向の外側へ延びている。また、下流部３３は、上流部３４から背側端部２ｒまで延びている。
【００３３】
図６（ａ），（ｂ）に示すように、本実施形態の各第一溝３では、下流部３３の横断面積Ａ１が上流部３４の横断面積Ａ２よりも大きく（Ａ１＞Ａ２に）設定されている。ここでいう横断面積Ａ１，Ａ２とは、第一溝３の延在方向に直交する横断面において、第一溝３で画成される空間の面積である。
【００３４】
したがって、図６（ａ）に示すように、横断面が矩形状である下流部３３の横断面積Ａ１は、下流部３３における底部３１の幅寸法Ｗ１（溝幅）と、下流部３３における側部３２の高さ寸法Ｈ１（溝深さ）との積（Ａ１＝Ｗ１×Ｈ１）として算出あるいは近似される。同様に図６（ｂ）に示すように、横断面が矩形状である上流部３４の横断面積Ａ２は、上流部３４における底部３１の幅寸法Ｗ２（溝幅）と、上流部３４における側部３２の高さ寸法Ｈ２（溝深さ）との積（Ａ２＝Ｗ２×Ｈ２）として算出あるいは近似される。なお、本実施形態の下流部３３は、長手方向の位置によらず、ほぼ一様な横断面積Ａ１をもつように形成されている。上流部３４も同様に、ほぼ一様な横断面積Ａ２をもつように形成されている。
【００３５】
ウェストギャザー２９（横弾性部材９）の伸縮状態は、着用者の胴周り長（胴部の周長）に応じて変化する。具体的に言えば、ウェストギャザー２９は、着用者の胴回り長が大きいほど、幅方向（着用者にとっての左右方向）に大きく伸びる。
本実施形態の端領域２０では、装着状態で横弾性部材９が幅方向に引き伸ばされたとしても第一溝３が確実に形成される（第一溝３が端領域２０に残る）ように、第一溝３をなす肌側部材と、肌側部材よりも非肌側に配置された非肌側部材との伸長状態における幅方向の寸法（以下、「幅寸法」ともいう）の大小関係が規定されている。本実施形態では、トップシート２２が上記の肌側部材に相当する。また、ここでいう非肌側部材とは、端領域２０において着用者の肌に対向しない（肌対向面よりも非肌側に配置される）非肌対向面をなす部材である。この非肌側部材としては、トップシート２２よりも非肌側に配置される、横弾性部材９，バックシート２４及びカバーシート２５が挙げられる。
【００３６】
詳細に説明すると、端領域２０では、肌側部材を仮想的に幅方向に伸長させて平面状にした場合の幅寸法が、非肌側部材を幅方向に最も伸長させた場合の幅寸法よりも大きくなる。図１３に示すように、本実施形態では、トップシート２２を仮想的に（第一溝３が無くなるまで）幅方向に伸長させて平面状にした場合の幅寸法Ｗｉが、横弾性部材９のうちトップシート２２と重なる部分を幅方向に最も伸長させた場合の幅寸法Ｗｏよりも大きくなる（Ｗｉ＞Ｗｏとなる）ように、端領域２０が形成されている。
【００３７】
仮に、上記の幅寸法Ｗｉ，Ｗｏの大小関係が逆転している（Ｗｏ＞Ｗｉである）場合には、横弾性部材９が幅方向に最も伸長するよりも前にトップシート２２が平面状に伸びきるため、おむつ２の装着状態によっては肌対向面から第一溝３が無くなる可能性がある。これに対し、上記のように幅寸法Ｗｉ，Ｗｏの大小関係（Ｗｉ＞Ｗｏ）が規定されていれば、たとえ横弾性部材９が幅方向に最も伸長したとしても、トップシート２２は皺寄せられた状態に保たれるため、肌対向面に第一溝３が形成されたままに維持される。なお、上記の幅寸法Ｗｏとしては、横弾性部材９に代えて、バックシート２４やカバーシート２５のうち端領域２０でトップシート２２と重なる部分を幅方向に最も伸長させた場合の幅寸法が採用されてもよい。
【００３８】
図１４に示すように、おむつ２は、胴回り長の大きい着用者への装着状態（以下、「最大装着状態」ともいう）では、一対のテープ１がパッチシート２６の幅方向の両端部に止着される。より具体的に言えば、最大装着状態では、テープ１に設けられた止着材の全体がパッチシート２６に重なる範囲内において、テープ１がパッチシート２６の幅方向の最も外側の部分に止着される。図１４に二点鎖線で示すように、テープ１の止着先（目標位置）を示す複数の目印１０（図柄，記号，文字など）がパッチシート２６に幅方向に並設される場合には、幅方向の最も外側の目印１０にテープ１を止着した状態が最大装着状態に対応する。なお、図１４では、図３と同様に、第一溝３を太線で模式的に示し、それらの一部のみに符号を付す。
【００３９】
上記のように幅寸法Ｗｉ，Ｗｏの大小関係（Ｗｉ＞Ｗｏ）が規定されている場合は、最大装着状態で横弾性部材９（ウェストギャザー２９）が幅方向に最も伸長したとても、端領域２０の肌対向面に第一溝３が維持される。したがって、本実施形態の最大装着状態のおむつ２において、弾性部材９を幅方向に最も伸長させた場合に、端領域２０に対応する位置の肌対向面（トップシート２２の内面）に沿う周長Ｃｉは、端領域２０に対応する位置の非肌対向面（例えばカバーシート２５）に沿う周長Ｃｏよりも大きくなる（Ｃｉ＞Ｃｏ）。すなわち、肌対向面に沿う上記の周長Ｃｉは、第一溝３により厚み方向に凹凸をなすことから、第一溝３の設けられない非肌対向面に沿う上記の周長Ｃｏよりも大きくなる。
なお、ウェストギャザー２９に代えて（あるいは加えて）テープ１やサイドシート２３が幅方向に伸縮可能に形成されたおむつでは、最大装着状態でテープ１やサイドシート２３を幅方向に最も伸長させた場合であっても、上記の周長Ｃｉ，Ｃｉの大小関係（Ｃｉ＞Ｃｏ）が満たされる。
【００４０】
図３及び図５に示すように、第二溝４は、第一溝３及び凹部６よりも長手方向の内側に設けられており、凹部６を介して第一溝３と連通している。すなわち、おむつ２では、長手方向に並設された第一溝３と凹部６と第二溝４との窪んだ箇所が長手方向において繋がっている。第二溝４は、少なくとも一部が厚み方向視で吸収体２１と重複して設けられる。
【００４１】
本実施形態の第二溝４には、長手方向に沿って延在する第二直線溝４Ａと、長手方向及び幅方向の双方に対して交差する方向（以下、「傾斜方向」ともいう）に延在する傾斜溝４Ｄとが含まれる。
第二直線溝４Ａは、その全体が長手方向に沿ってまっすぐに延びている。したがって、第二直線溝４Ａの延長線Ｌはいずれも、長手方向に沿う直線である。ここでは、厚み方向視において、凹部６から吸収体２１の長手方向の中途と重なる領域まで延びた第二直線溝４Ａを例示する。
【００４２】
傾斜溝４Ｄは、排泄物の水分を吸収体２１の広範囲で吸収させるために排泄物を拡散させると共に通気性を高めるためのものであって、厚み方向視で吸収体２１と重なる領域に設けられる。ここでは、厚み方向視で格子形状（グリッドパターン）をなす溝の一部として設けられた傾斜溝４Ｄを例示する。すなわち、おむつ２の肌対向面には、凹部６を介して第一溝３と連通する第二溝４としての傾斜溝４Ｄだけでなく、傾斜方向に延在すると共に凹部６と接続しない複数の非連通溝８も設けられており、これらの傾斜溝４Ｄと非連通溝８とが厚み方向視で格子形状をなす。傾斜溝４Ｄ及び非連通溝８がなす格子形状は、厚み方向視で吸収体２１と重なる領域において、幅方向の中心線Ｏについて対称に形成されている。
【００４３】
図５に示すように、傾斜溝４Ｄは、厚み方向視で吸収体２１の長手方向の端部２１ｒと重なる位置において、第二直線溝４Ａと接続していると共に凹部６と繋がっている。このように、本実施形態の第二直線溝４Ａは、傾斜溝４Ｄの長手方向の端部が存する領域を含むように配置されている。なお、傾斜溝４Ｄにおいて長手方向の端部が配置される幅方向位置は、長手方向に沿って延在する第一溝３や第二直線溝４Ａの幅方向位置と重複するように配置されている。
【００４４】
第二溝４の具体的な構造は特に限定されないが、本実施形態の第二直線溝４Ａは、トップシート２２にエンボス加工が施されることで形成されている。また、本実施形態の傾斜溝４Ｄ及び非連通溝８は、トップシート２２と吸収体２１とが一体的に厚み方向に圧搾されることで形成されている。
図７に示すように、ここでは第二直線溝４Ａとして、トップシート２２を構成する二つの基材２２Ａ，２２Ｂ同士が断続的に貼り合わせられることで形成された接合溝４Ｘを例示する。
【００４５】
接合溝４Ｘは、厚み方向に重ねられる基材２２Ａ，２２Ｂのうち、肌側に設けられるシート状の表面材２２Ａで形成される。表面材２２Ａは、長手方向及び幅方向に沿って配置されたベース材２２Ｂの肌側に重ねられたうえで、ベース材２２Ｂに断続的に固定される。なお、表面材２２Ａ及びベース材２２Ｂの材料は特に限定されないが、不織布で形成された表面材２２Ａ及びベース材２２Ｂは、圧着や溶着で互いに固定されてもよい。
【００４６】
ベース材２２Ｂは、長手方向に沿って延在すると共に幅方向に間隔をあけて設けられた接合部２２ｃにおいて表面材２２Ａに固定され、接合部２２ｃの間の非接合部２２ｄが表面材２２Ａに固定されない。これにより、表面材２２Ａのうち、ベース材２２Ｂの接合部２２ｃと固定された部分が第二直線溝４Ａの底部４１をなし、ベース材２２Ｂと固定されていない部分の一部が第二直線溝４Ａの側部４２をなす。なお、ここではシート状のベース材２２Ｂを例示するが、ベース材２２Ｂの形状は特に限定されない。
上記のような表面材２２Ａで形成される溝は、トップシート２２の長手方向の全域にわたって設けられてもよい。この場合には、端領域２０におけるトップシート２２にも、第二直線溝４Ａと同様の構造をもつ溝が延設される。
【００４７】
図８（ａ），（ｂ）に示すように、第二溝４には、上記の接合溝４Ｘに代えて（あるいは加えて）、トップシート２２が厚み方向に圧搾されてなる圧搾溝４Ｙや、トップシート２２の一部が吸収体２１′に入り込んでなる陥没溝４Ｚが含まれてもよい。
図８（ａ）に示すように、圧搾溝４Ｙは、例えばトップシート２２を肌側から非肌側へ押圧することで形成される。また、図８（ｂ）に示すように、陥没溝４Ｚは、非肌側へ窪む内溝２１ａと、厚み方向に貫通するスリット２１ｂとの少なくとも一方を有する吸収体２１′が採用される場合に形成される。具体的には、陥没溝４Ｚは、このような吸収体２１′の肌側に設けられるトップシート２２の一部を内溝２１ａとスリット２１ｂとの少なくとも一方に入り込ませることで形成される。なお、本実施形態の傾斜溝４Ｄは、上記の通りトップシート２２と吸収体２１とが一体的に圧搾されることで形成されているため、圧搾溝４Ｙであると共に陥没溝４Ｚでもある。
【００４８】
図５に示すように、本実施形態の各第一溝３は、第一直線溝３Ａかつ延長溝３Ｅであることから、第二直線溝４Ａと、この延長線Ｌ上から延びた第一直線溝３Ａとは、長手方向に沿う一直線上に設けられる。
【００４９】
図３に示すように、第三溝５は、凹部６よりも幅方向の外側に設けられる。本実施形態では、吸収体２１よりも幅方向の外側であって、肌側に起立する立体ギャザー２７の根元部分（トップシート２２及びサイド内側部２３における幅方向の外側の端部）よりも幅方向の内側に設けられた第三溝５を例示する。第三溝５の個数は特に限定されないが、ここでは第三溝５がおむつ２の幅方向の両側に一つずつ（合計一対）設けられた例を示す。
【００５０】
各第三溝５は、凹部６よりも幅方向の外側の肌対向面において非肌側へ窪んでいる。第三溝５は、第一溝３と第二溝４とを繋げたような構成である。具体的には、第三溝５は、端領域２０が横弾性部材９で皺寄せられることにより形成された溝と、トップシート２２に施されたエンボス加工による溝とを互いに連通させることで構成されている。ここでは、おむつ２の長手方向の全長にわたって延在する第三溝５を例示する。
【００５１】
凹部６は、第一溝３から第二溝４へ向かう排泄物の流れを遮断するように、第一溝３及び第二溝４の各々よりも幅方向に長く形成される。本実施形態の凹部６は、厚み方向において第一溝３及び第二溝４よりも大きく窪んでいる。
ここでは、後身頃２Ｂにおいて、吸収体２１よりも長手方向の外側で吸収体２１の長手方向の端部２１ｒに沿って設けられた凹部６を例示する。図９に示すように、凹部６は、より具体的には、後身頃２Ｂにおいて吸収体２１により形成される厚み方向の段差で形成されている。本実施形態の凹部６は、吸収体２１と横弾性部材９との間であって厚み寸法が相対的に小さい部分に設けられている。
【００５２】
上記のように吸収体２１よりも長手方向の外側に設けられた凹部６に代えて（あるいは加えて）、図１０に示すように、吸収体２１″と重なる領域に設けられた凹部６′が適用されてもよい。この凹部６′が適用される場合には、厚み寸法が異なる少なくとも二つの部位を有する吸収体２１″が適用される。
【００５３】
具体的には、吸収体２１″は、その長手方向の中間部をなす主部２１ｃと、主部２１ｃよりも長手方向の外側で幅方向に延在すると共に厚み寸法が主部２１ｃに比べて小さい薄肉部２１ｄとを有する。凹部６′は、このような吸収体２１″が適用される場合には、肌対向面のうち厚み方向視で薄肉部２１ｄと重なる領域に設けられる。
なお、上記の二種類の凹部６，６′が併用される場合には、吸収体２１″よりも長手方向の外側に設けられた凹所と、厚み方向視で薄肉部２１ｄと重なる領域に設けられた凹所とを併せて凹部を形成すればよい。
【００５４】
［２．作用及び効果］
（１）おむつ２によれば、図３及び図５に示すように、背側端部２ｒを含む端領域２０に設けられた第一溝３と、端領域２０よりも長手方向の内側に設けられた第二溝４とが凹部６を介して互いに連通するため、装着状態のおむつ２内の空気を第二溝４から凹部６と第一溝３とを順に通して外部に排出できる。特に、第二溝４は、少なくとも一部が厚み方向視で吸収体２１と重複して設けられるため、高湿度となる吸収体２１付近の空気を第二溝４から凹部６及び第一溝３を通じて外部に排出できる。よって、おむつ２の通気性を高められる。これにより、おむつ２の蒸れが抑制されるため、おむつ２の履き心地を向上させられる。
【００５５】
一方で、第一溝３と第二溝４との間には凹部６が介在するため、第二溝４から第一溝３へ向かう排泄物を凹部６で捕捉できる。これにより、第一溝３から外部への排泄物の漏れ（本実施形態では背漏れ）を抑制できる。
したがって、おむつ２によれば、通気性の向上と排泄物の漏れ抑制とを両立できる。
また、おむつ２の肌対向面において非肌側へ窪む第一溝３，第二溝４及び凹部６によれば、着用者の肌への接触面積を減らせることから、着用者の肌への負担を軽減できる。さらに、端領域２０が幅方向に伸長可能に皺寄せられてなる第一溝３によれば、着用者に対するおむつ２のフィット性を高められる。
【００５６】
（２）第二溝４の延長線Ｌ上から背側端部２ｒまで延びた延長溝３Ｅによれば、第二溝４から延長線Ｌに沿って流れた空気を延長溝３Ｅに流入させられると共に、この空気を延長溝３Ｅから外部に排出できる。したがって、第二溝４から凹部６に流れた空気を、延長溝３Ｅを通じておむつ２の外部までスムーズに案内できる。よって、おむつ２の通気性を更に高められる。
【００５７】
（３）幅方向に弾性変形する横弾性部材９が第一溝３の底部３１に固定されて第一溝３の側部３２には固定されずに設けられるため、横弾性部材９を利用して第一溝３を形成できる。よって、第一溝３の成形容易性を確保できる。また、横弾性部材９を利用して形成された第一溝３によれば、凹部６を介した第二溝４との連通により通気性を高められるうえに、横弾性部材９の幅方向の弾性変形により着用者に対するフィット性を更に高められる。
【００５８】
（４）凹部６よりも幅方向の外側には、端領域２０よりも長手方向の内側から背側端部２ｒまで延在する第三溝５が設けられるため、端領域２０よりも長手方向の内側から背側端部２ｒまで第三溝５を通じて空気を案内できる。これにより、おむつ２の通気性を更に高められる。また、おむつ２の肌対向面において非肌側へ窪む第三溝５によれば、着用者の肌への接触面積を減らせることから、着用者の肌への負担を軽減できる。
【００５９】
一般に排泄物は、肌対向面のうち厚み方向視で吸収体２１と重なる領域に排泄されるのに対し、本実施形態の第三溝５は、吸収体２１よりも幅方向の外側（厚み方向視で吸収体２１と重ならない領域）に設けられているため、第三溝５への排泄物の到達を抑制できる。よって、第三溝５を通じた排泄物の漏れを抑制できる。
一方、吸収体２１と重なる領域に設けられた第三溝５によれば、高湿度となる吸収体２１付近の空気を第三溝５から外部に排出できる。よって、この場合には、おむつ２の通気性をより高められる。
【００６０】
（５）凹部６が吸収体２１よりも長手方向の外側で吸収体２１の長手方向の端部２１ｒに沿って設けられるため、他の構成と比較して厚み寸法が大きい吸収体２１を利用して凹部６を形成できる。すなわち、吸収体２１によって生じる厚み方向の段差を利用して凹部６を形成できる。このため、凹部６により排泄物の漏れを抑制しつつ、おむつ２の構成の複雑化を抑えられる。
【００６１】
（６）図１０に示すように、主部２１ｃと主部２１ｃよりも厚み寸法が小さい薄肉部２１ｄとを有する吸収体２１″を採用し、厚み方向視で薄肉部２１ｄと重なる領域に凹部６′を設ければ、吸収体２１″の薄肉部２１ｄを利用して凹部６′を形成できる。この場合には、凹部６′で排泄物を捕捉できるうえに、凹部６′における吸液性が薄肉部２１ｄで確保されるため、排泄物の漏れを更に抑制できる。
（７）図３に示すように、凹部６の幅方向の両側では一対のサイド内側部２３ａが肌側に突設されるため、凹部６において幅方向の外側へ移動した排泄物をサイド内側部２３ａで塞き止められる。これにより、排泄物の幅方向の漏れ（横漏れ）を抑制できる。
【００６２】
（８）サイド内側部２３ａが縦弾性部材７の長手方向の収縮によって肌側に起立する立体ギャザー２７をなすため、凹部６において幅方向の外側へ移動した排泄物を立体ギャザー２７でより確実に塞き止められる。よって、排泄物の幅方向の漏れを更に抑制できる。また、縦弾性部材７が凹部６よりも肌側で長手方向に収縮したおむつ２は、肌側を内側にして曲がるため、凹部６をより適切に窪ませられる。したがって、凹部６による排泄物の捕捉効果をより確実に発揮させられる。
【００６３】
（９）図７に示すように、肌対向面をなすトップシート２２において表面材２２Ａがベース材２２Ｂに断続的に固定されてなる接合溝４Ｘによれば、表面材２２Ａをベース材２２Ｂに対して部分的に浮かすことで第二溝４を形成できる。このような接合溝４Ｘによれば、肌対向面の柔軟性を確保しながら、第二溝４の形状維持性能を高められる。よって、肌対向面の触感を向上させられると共に、通気性をより確実に高められる。
【００６４】
（１０）図８（ａ）に示すように、トップシート２２が圧搾されてなる圧搾溝４Ｙによれば、第二溝４の成形容易性を確保できる。
（１１）図８（ｂ）に示すように、吸収体２１′の内溝２１ａとスリット２１ｂとの少なくとも一方にトップシート２２の一部が入り込んでなる陥没溝４Ｚによれば、吸収体２１′において排泄物を拡散させる内溝２１ａやスリット２１ｂを利用して第二溝４を形成できる。このため、トップシート２２自体に特別な加工を施さなくても第二溝４を設けられる。よって、トップシート２２の構造の複雑化を抑制できる。
【００６５】
（１２）図５に示すように、長手方向に沿って延在する第一直線溝３Ａによれば、端領域２０における最短距離でおむつ２の外部へと空気を導けるため、通気性をより高められる。
（１３）同様に、長手方向に沿って延在する第二直線溝４Ａによれば、第二溝４の設けられた領域において凹部６まで最短距離で空気を導けるため、通気性をより高められる。
【００６６】
（１４）第二溝４には、厚み方向視で吸収体２１と重なる領域で傾斜方向に延在する傾斜溝４Ｄが含まれるため、排泄物が傾斜溝４Ｄを通じて吸収体２１の広範囲に拡散することで、より多くの水分が吸収体２１で吸収される。よって、液漏れを抑制できる。また、装着状態のおむつ２内の空気が傾斜溝４Ｄから凹部６及び第一溝３を通じて外部に排出されるため、おむつ２の通気性を更に高められる。
【００６７】
さらに、本実施形態の傾斜溝４Ｄは、吸収体２１とトップシート２２とが一体的に厚み方向に圧搾されることで形成されているため、上記の液漏れを抑制する効果と通気性を高める効果とをより発揮できる。
【００６８】
（１５）図６に示すように、第一溝３では、凹部６から延びた上流部３４の横断面積Ａ２よりも、上流部３４から背側端部２ｒまで延びた下流部３３の横断面積Ａ１のほうが大きいため、上流部３４よりも下流部３３において空気が通りやすくなっている。これにより、下流部３３を流れる空気で上流部３４を流れる空気が引っ張られるように移動すると、通気性を更に高められる。
また、下流部３３よりも横断面積Ａ２が小さい上流部３４では、下流部３３よりも排泄物が通りにくくなるため、上流部３４の横断面積Ａ２が下流部３３の横断面積１と同等に設定される場合と比べて、排泄物の漏れを抑制できる。
【００６９】
（１６）後身頃２Ｂの幅方向の両側に設けられたテープ１の間に第一溝３が設けられるため、テープ１の間の領域における通気性を第一溝３と第二溝４と凹部６とで高められると共に、テープ１の間の領域におけるフィット性を幅方向に伸長可能な端領域２０で高められる。
【００７０】
（１７）端領域２０では、図１３に示すように、第一溝３をなす肌側部材（本実施形態ではトップシート２２）を仮想的に幅方向に伸長させて平面状にした場合の幅寸法Ｗｉが、非肌側部材（本実施形態では横弾性部材９）を幅方向に最も伸長させた場合の幅寸法Ｗｏよりも大きい（Ｗｉ＞Ｗｏ）。このような幅寸法Ｗｉ，Ｗｏの規定によれば、装着状態で着用者の胴回り長に応じて端領域２０が幅方向に引き伸ばされたとしても、肌対向面に第一溝３を確実に形成できる。このため、胴回り長の大きい着用者に装着される場合であっても、おむつ２内の空気を第二溝４から凹部６と第一溝３とを順に通して外部に確実に排出できる。したがって、おむつ２の通気性をより確実に高められる。
【００７１】
また、図１４に示すように、最大装着状態における上記の周長Ｃｉ，Ｃｏの大小関係（Ｃｉ＞Ｃｏ）が満たされていれば、テープ１の止着位置に応じてサイズが可変なおむつ２を最大のサイズに設定した状態において、肌対向面に第一溝３を確実に形成できる。よって、上記のとおり、胴回り長の大きい着用者に装着される場合に、おむつ２の通気性をより確実に高められる。
【００７２】
［３．変形例］
［３−１．第一変形例］
図１１を参照して、第一変形例に係るおむつ２′について説明する。本変形例及び後述の第二変形例及び第三変形例では、上記の実施形態で説明した要素と同一又は対応する要素に同一の符号を付し、重複する説明を適宜省略する。図１１及び後述の図１２では、図３及び図５と同様に、第一溝３及び第二溝４を含む溝を太線で模式的に示し、それらの一部のみに符号を付す。
【００７３】
図１１に示すように、本変形例のおむつ２′は、上記の実施形態のおむつ２に対して、第二直線溝４Ａを省略し、傾斜溝４Ｄとは異なる格子形状をなす傾斜溝４Ｂ，４Ｃを適用したものである。具体的には、本変形例の傾斜溝４Ｂ，４Ｃは、厚み方向視で、その延長線Ｌ同士が横弾性部材９における長手方向の内側の端部９ｃと重なる位置で接続するように配置されている。
【００７４】
なお、本変形例の傾斜溝４Ｂ，４Ｃと非連通溝８とがなす格子形状の溝も、厚み方向視で吸収体２１と重なる領域において、幅方向の中心線Ｏ′について対称に形成されている。また、本変形例の傾斜溝４Ｂ，４Ｃ及び非連通溝８も、上記の実施形態と同様に、例えばトップシート２２と吸収体２１とが一体的に圧搾されることで形成されている。
ここでは、傾斜溝４Ｂ，４Ｃを、背側端部２ｒ側かつ幅方向の内側へ向かう傾斜方向に延在する内傾斜溝４Ｂと、背側端部２ｒ側かつ幅方向の外側へ向かう傾斜方向に延在する外傾斜溝４Ｃとに分けて説明する。なお、傾斜溝４Ｂ，４Ｃの延長線Ｌはいずれも、傾斜溝４Ｂ，４Ｃと同様に上記の傾斜方向に延在する。
【００７５】
本変形例の第一溝３には、二つの傾斜溝４の延長線Ｌ上から背側端部２ｒまで延びた延長溝３Ｅと、第二溝４の延長線Ｌ上以外の始点から背側端部２ｒまで延びた通気溝３Ｄとが含まれている。
延長溝３Ｅは、内傾斜溝４Ｂ及び外傾斜溝４Ｃの延長線Ｌ同士が接続する始点Ｐ２、又は、中心線Ｏ′を挟んで配置された二つの内傾斜溝４Ｂの延長線Ｌ同士が接続する始点Ｐ３から延びている。これに対し、通気溝３Ｄは、第二溝４の延長線Ｌの位置に関わらず配置されている。
第一溝３（延長溝３Ｅ及び通気溝３Ｄ）はいずれも、凹部６を介して傾斜溝４Ｂ，４Ｃと連通している。ここでは第一溝３として、上記の実施形態と同様に、長手方向に沿って延在する第一直線溝３Ａを例示する。
【００７６】
おむつ２′によれば、厚み方向視で吸収体２１と重なる領域で傾斜方向に延在する傾斜溝４Ｂ，４Ｃが設けられるため、排泄物が傾斜溝４Ｂ，４Ｃを通じて吸収体２１の広範囲に拡散することで、より多くの水分が吸収体２１で吸収される。よって、液漏れを抑制できる。
また、第一溝３が凹部６を介して傾斜溝４Ｂ，４Ｃと連通するため、おむつ２′内の空気を傾斜溝４Ｂ，４Ｃから凹部６及び第一溝３を順に通して外部に排出できる。よって、おむつ２′の通気性を高められる。
一方、第一溝３と傾斜溝４Ｂ，４Ｃとの間には凹部６が介在するため、傾斜溝４Ｂ，４Ｃから第一溝３へ向かう排泄物を凹部６で捕捉できる。これにより、第一溝３から外部への排泄物の背漏れを抑制できる。
【００７７】
傾斜溝４Ｂ，４Ｃの延長線Ｌ上から背側端部２ｒまで延びた延長溝３Ｅによれば、傾斜溝４Ｂ，４Ｃから延長線Ｌに沿って流れた空気をおむつ２′の外部までスムーズに案内できるため、おむつ２′の通気性を更に高められる。
本変形例の延長溝３Ｅは、二つの第二溝４の延長線Ｌ同士が接続する始点Ｐ２，Ｐ３から延びているため、二つの延長線Ｌに沿って流れた空気を一つの延長溝３Ｅにまとめて流入させられる。これにより、一つの第二溝４の延長線Ｌ上から一つの延長溝３を延設する場合と比べて、通気性を確保しつつも、延長溝３の省スペース化を実現できる。
そのほか、本変形例のおむつ２′によれば、上記の実施形態と同様の構成からは同様の作用及び効果が得られる。
【００７８】
［３−２．第二変形例］
図１２を参照して、第二変形例に係るおむつ２″について説明する。
本変形例のおむつ２″は、前身頃２Ａ及び後身頃２Ｂの幅方向の両端部が互いに連結されてなる環状の胴回り部２Ｄを備えたパンツ型のものである。
なお、おむつ２″は、前身頃２Ａ及び後身頃２Ｂの幅方向の両端部における連結が解除されて平面状に広げられた状態で、上記の展開状態をなす。おむつ２″における背側端部２ｒ及び腹側端部２ｆは、胴回り部２Ｄの環状の縁部に対応する。
【００７９】
おむつ２″では、背側端部２ｒ及び腹側端部２ｆの双方を含むと共に吸収体２１と離間して設けられた端領域２０′が幅方向に伸長可能に皺寄せられている。おむつ２″の端領域２０′には、幅方向に弾性変形する図示しない横弾性部材が設けられている。これにより、胴回り部２Ｄには、その全周にわたってウェストギャザー２９′が設けられている。
【００８０】
おむつ２″は、端領域２０′が幅方向に伸長可能に皺寄せられてなる第一溝３と、端領域２０′よりも長手方向の内側で第一溝３から離間して設けられた第二溝４と、第一溝３及び第二溝４を互いに連通させる凹部６とを備えている。
本変形例の第一溝３は、胴回り部２Ｄに設けられている。ここでは、前身頃２Ａ及び後身頃２Ｂの双方における肌対向面に設けられた第一溝３を例示する。本変形例の第一溝３は、第二溝４の延長線Ｌ上から腹側端部２ｆ又は背側端部２ｒまで延びた延長溝３Ｅである。
凹部６は、前身頃２Ａ及び後身頃２Ｂの双方の肌対向面に設けられている。本変形例の凹部６は、前身頃２Ａ及び後身頃２Ｂの双方において、第一溝３及び第二溝４を互いに連通させる。
【００８１】
おむつ２″によれば、第一溝３が胴回り部２Ｄに設けられるため、胴回り部２Ｄにおける通気性を第一溝３及び第二溝４で高められると共に、胴回り部２Ｄにおけるフィット性を幅方向に伸長可能な端領域２０′で高められる。
また、前身頃２Ａ及び後身頃２Ｂの双方に設けられた第一溝３が凹部６を介して第二溝４に連通するため、前身頃２Ａ及び後身頃２Ｂの双方で通気性及びフィット性を高められる。
そのほか、本変形例のおむつ２″によれば、上記の実施形態と同様の構成からは同様の作用及び効果が得られる。
【００８２】
［３−３．第三変形例］
本変形例のおむつは、上記の実施形態のおむつ２に対して、傾斜溝４Ｄ及び非連通溝８を備えない点が異なり、他の点が共通する。すなわち、本変形例のおむつは、上記の実施形態のおむつ２から厚み方向視で格子形状をなす溝が省略されたものである。
【００８３】
本変形例のおむつでも、幅方向の中央に第一溝３及び第二溝４並びに凹部６が配置され、第一溝３及び第二溝４並びに凹部６よりも幅方向の外側に第三溝５が配置されている。
第一溝３は、おむつの背側端部２ｒを含む端領域２０が幅方向に伸長可能に皺寄せられてなり、幅方向に伸長可能に収縮した端領域２０の肌対向面に形成される。
第二溝４は、端領域２０よりも長手方向の内側（股下部２Ｃ側）に設けられ、おむつの幅方向の伸縮状態にかかわらず肌対向面に形成されている。第二溝４は、尿や便等の排泄物が着用者から排泄されうる箇所を含む領域に配置される。
第一溝３と第二溝４とは、互いに離間して設けられる。言い換えると、第二溝４は、第一溝３から離間して設けられている。
【００８４】
第三溝５は、端領域２０よりも長手方向の内側から背側端部２ｒまで延在する。本変形例の第三溝５も、端領域２０では第一溝３と同様に皺寄せられ、端領域２０よりも長手方向の内側（股下部２Ｃ側）では第二溝４と同様におむつの幅方向の伸縮状態にかかわらず肌対向面に形成されている。
なお、端領域２０は、吸収体２１よりも長手方向の外側に設定される。本変形例の端領域２０も、後身頃２Ｂにおいて、背側端部３ｒと横弾性部材９における長手方向の内側の端部９ｃとの間の領域として設定されている。端領域２０は、平面視で吸収体２１と離間している。
【００８５】
凹部６は、第一溝３と第二溝４との間に配置され、幅方向に延在する。凹部６は、第一溝３及び第二溝４の間の肌対向面において非肌側へ窪んだ部位であり、第一溝３と第二溝４とを互いに連通させる。凹部６は、第二溝４から第一溝３へ向かう排泄物を捕捉（トラップ）するための空間を画成する。
本変形例のおむつでも、凹部６の幅方向の両側において、立体ギャザー２７が肌側に突設されている。言い換えると、凹部６は、縦弾性部材７の収縮により肌側に起立した二つの立体ギャザー２７で幅方向の両側から挟まれている。
【００８６】
第一溝３は、後身頃２Ｂにおける一対のテープ１の間に設けられている。本変形例の第一溝３も、ウェストギャザー２９で形成されている。すなわち、第一溝３は、肌対向面をなすトップシート２２が横弾性部材９で皺寄せられることにより形成されている。
本変形例の横弾性部材９も、幅方向に伸長された状態で、平面状のトップシート２２に対して幅方向において断続的に固定（接合）されている。トップシート２２に対する横弾性部材９の固定構造としては、例えば、図４を参照して上記の実施形態で説明した手法が適用されうる。
【００８７】
本変形例の第一溝３も、厚み方向視で横弾性部材９と重なる領域では長手方向に沿ってまっすぐに延び、横弾性部材９よりも長手方向の外側（下流部３３）では自由端をなす背側端部２ｒまで長手方向に沿ってまっすぐに延びる。
したがって、本変形例の各第一溝３も、その全体が長手方向に沿ってまっすぐに延びている。このように、本変形例の第一溝３はいずれも、長手方向に沿って延在する第一直線溝３Ａである。
【００８８】
また、本変形例の各第一溝３は、第二溝４の延長線Ｌ上から背側端部２ｒまで延びた延長溝３Ｅでもある。延長溝３Ｅは、延長線Ｌ上の始点Ｐ１から背側端部２ｒまで延設されている。
本変形例の各第一溝３においても、下流部３３と上流部３４とは連続（連通）している。上流部３４は、凹部６から長手方向の外側へ延びている。また、下流部３３は、上流部３４から背側端部２ｒまで延びている。
【００８９】
各第一溝３において、下流部３３の横断面積Ａ１と上流部３４の横断面積Ａ２とは、図６（ａ），（ｂ）を参照して上記の実施形態で説明したように、Ａ１＞Ａ２に設定されている。なお、本変形例でも、下流部３３は長手方向の位置によらずほぼ一様な横断面積Ａ１をもつように形成されており、上流部３４も同様にほぼ一様な横断面積Ａ２をもつように形成されている。
【００９０】
第二溝４は、第一溝３及び凹部６よりも長手方向の内側に設けられており、凹部６を介して第一溝３と連通している。すなわち、本変形例のおむつにおいても、長手方向に並設された第一溝３と凹部６と第二溝４との窪んだ箇所が長手方向において繋がっている。第二溝４は、少なくとも一部が厚み方向視で吸収体２１と重複して設けられる。
本変形例の第二溝４はいずれも、長手方向に沿って延在する第二直線溝４Ａである。第二直線溝４Ａは、その全体が長手方向に沿ってまっすぐに延びている。したがって、第二直線溝４Ａの延長線Ｌはいずれも、長手方向に沿う直線である。第二直線溝４Ａは、例えば上記の実施形態と同様に、厚み方向視において、凹部６から吸収体２１の長手方向の中途と重なる領域まで延設される。
【００９１】
本変形例の第二直線溝４Ａも、トップシート２２にエンボス加工が施されることで形成されている。第二直線溝４Ａとしては、図７及び図８（ａ），（ｂ）を参照して上記の実施形態で説明した接合溝４Ａ，圧搾溝４Ｙ及び陥没溝４Ｚ等が採用されうる。
本変形例でも、各第一溝３は第一直線溝３Ａかつ延長溝３Ｅであることから、第二直線溝４Ａと、この延長線Ｌ上から延びた第一直線溝３Ａとは、長手方向に沿う一直線上に設けられる。
【００９２】
第三溝５は、凹部６よりも幅方向の外側に設けられる。本変形例の第三溝５も、吸収体２１よりも幅方向の外側であって、肌側に起立する立体ギャザー２７の根元部分（トップシート２２及びサイド内側部２３における幅方向の外側の端部）よりも幅方向の内側に設けられている。
各第三溝５は、凹部６よりも幅方向の外側の肌対向面において非肌側へ窪んでいる。第三溝５は、第一溝３と第二溝４とを繋げたような構成である。具体的には、第三溝５は、端領域２０が横弾性部材９で皺寄せられることにより形成された溝と、トップシート２２に施されたエンボス加工による溝とを互いに連通させることで構成されている。ここでも、おむつ２の長手方向の全長にわたって延在する第三溝５を例示する。
【００９３】
凹部６は、第一溝３から第二溝４へ向かう排泄物の流れを遮断するように、第一溝３及び第二溝４の各々よりも幅方向に長く形成される。本変形例の凹部６も、厚み方向において第一溝３及び第二溝４よりも大きく窪んでいる。凹部６は、後身頃２Ｂにおいて、吸収体２１よりも長手方向の外側で吸収体２１の長手方向の端部２１ｒに沿って設けられている。
凹部６としては、図９及び図１０を参照して上記の実施形態で説明したように、吸収体２１よりも長手方向の外側に設けられるものや、吸収体２１″と重なる領域に設けられるもの（凹部６′）が採用されうる。
【００９４】
本変形例のおむつによっても、背側端部２ｒを含む端領域２０に設けられた第一溝３と、端領域２０よりも長手方向の内側に設けられた第二溝４（本変形例では第二直線溝４Ａ）とが凹部６を介して互いに連通するため、装着状態のおむつ内の空気を第二溝４から凹部６と第一溝３とを順に通して外部に排出できる。特に、第二溝４（本変形例では第二直線溝４Ａ）は、少なくとも一部が厚み方向視で吸収体２１と重複して設けられるため、高湿度となる吸収体２１付近の空気を第二溝４から凹部６及び第一溝３を通じて外部に排出できる。したがって、上記の実施形態と同様に、おむつの通気性を高められる。
そのほか、本変形例のおむつによれば、上記の実施形態と同様の構成からは同様の作用及び効果が得られる。
【００９５】
［３−４．その他］
第一溝３，第二溝４及び凹部６，６′は、おむつの肌対向面において非肌側へ窪んでいればよく、トップシート２２以外の構成に形成されてもよい。また、おむつに設けられる溝３〜５の各個数は特に限定されない。おむつには、第一溝３及び第二溝４が一つずつのみ設けられてもよい。この場合であっても、第一溝３と第二溝４とが凹部６を介して互いに連通することで、おむつの通気性を高めつつ、排泄物の漏れを抑制できる。なお、第三溝５は、おむつの幅方向の片側のみに設けられてもよいし、おむつから省略されてもよい。
【００９６】
上記の溝３〜５の各延在方向は一例である。第一溝３及び第二溝４は、長手方向に延びる成分をもっていればよく、例えば曲線状に延びてもよい。また、上記の実施形態で示した第二直線溝４Ａと傾斜溝４Ｄとのいずれか一方が省略されてもよいし、上記の第一変形例で示した内傾斜溝４Ｂと外傾斜溝４Ｃとのいずれか一方が省略されてもよいし、これらの傾斜溝４Ｂ，４Ｃに加えて上記の第二直線溝４Ａが設けられてもよい。
【００９７】
なお、上記の実施形態で示した第二直線溝４Ａと傾斜溝４Ｄとは、厚み方向視で吸収体２１の長手方向の端部２１ｒと重なる位置において、互いに離間していてもよい。
上記の第二直線溝４Ａは、おむつの腹側端部２ｆまで延在してもよい。長手方向に並ぶ第一溝３と凹部６と第二溝４とがおむつの長手方向の全長にわたって延在すれば、おむつの通気性をより高められる。
【００９８】
第一溝３は、端領域２０が幅方向に伸長可能に皺寄せられることで形成されればよく、上記の横弾性部材９の収縮により形成されるものに限られない。また、第一溝３は、下流部３３及び上流部３４の横断面積が互いに等しくなるように形成されてもよいし、凹部６の位置によっては、横弾性部材９における長手方向の内側の端部９ｃよりも吸収体２１側まで延在してもよい。なお、第一溝３には、上記の第一直線溝３Ａ，通気溝３Ｄ及び延長溝３Ｅ以外の溝が含まれてもよい。
【００９９】
第二溝４には、上記の接合溝４Ｘ，圧搾溝４Ｙ及び陥没溝４Ｚ以外の溝が含まれてもよい。また、第二溝４は、凹部６の位置によっては、吸収体２１よりも長手方向の外側まで延在してもよい。
第一溝３と第二溝４とは、長手方向において互いに離間すると共に相互間に凹部６を挟んで配置されればよい。
【０１００】
凹部６，６′は、厚み方向において、第一溝３や第二溝４よりも小さく窪んでもよいし、第一溝３や第二溝４と同じ深さに形成されてもよい。
端領域は、背側端部２ｒ及び腹側端部２ｆの少なくとも一方を含んでいればよく、例えば前身頃２Ａのみに設定されてもよい。
上記の縦弾性部材７が省略されることで、肌側に起立する立体ギャザー２７が省略されてもよい。この場合であっても、サイド内側部２３ａが設けられれば、上記の実施形態と同様に凹部６において幅方向の外側へ移動した排泄物がサイド内側部２３ａで塞き止められるため、排泄物の横漏れを抑制できる。
【符号の説明】
【０１０１】
１      テープ（止着テープ）
２，２′，２″  おむつ
２Ａ    前身頃
２Ｂ    後身頃
２Ｃ    股下部
２Ｄ    胴回り部
２ｆ    腹側端部（長手方向の端部）
２ｒ    背側端部（長手方向の端部）
３      第一溝
３Ａ    第一直線溝
３Ｄ    通気溝
３Ｅ    延長溝
４      第二溝
４Ａ    第二直線溝
４Ｂ    内傾斜溝（傾斜溝）
４Ｃ    外傾斜溝（傾斜溝）
４Ｄ    傾斜溝
４Ｘ    接合溝
４Ｙ    圧搾溝
４Ｚ    陥没溝
５      第三溝
６，６′  凹部
７      縦弾性部材（第二弾性部材）
８      非連通溝
９      横弾性部材（第一弾性部材，非肌側部材）
９ａ    接合部
９ｂ    非接合部
９ｃ    長手方向の内側の端部
１０    目印
２０，２０′  端領域
２１，２１′，２１″  吸収体
２１ａ  内溝
２１ｂ  スリット
２１ｃ  主部
２１ｄ  薄肉部
２１ｒ  長手方向の端部
２２    トップシート（肌側部材）
２２Ａ  表面材
２２Ｂ  ベース材
２２ｃ  接合部
２２ｄ  非接合部
２３    サイドシート
２３ａ  サイド内側部（壁部）
２４    バックシート
２５    カバーシート
２６    パッチシート
２７    立体ギャザー
２８    レッグギャザー
２９，２９′  ウェストギャザー
３１    底部
３２    側部
３３    下流部
３４    上流部
４１    底部
４２    側部
Ｃｉ    肌対向面に沿う周長
Ｃｏ    非肌対向面に沿う周長
Ｈ１    下流部３３における側部３２の高さ寸法
Ｈ２    上流部３４における側部３２の高さ寸法
Ｌ      延長線
Ｏ，Ｏ′  幅方向の中心線
Ｐ１，Ｐ２，Ｐ３  始点
Ｗ１    下流部３３における底部３１の幅寸法
Ｗ２    上流部３４における底部３１の幅寸法
Ｗｉ    肌側部材を仮想的に幅方向に伸長させて平面状にした場合の幅寸法
Ｗｏ    非肌側部材を幅方向に最も伸長させた場合の幅寸法
【図１】
2022002683.tif 000003
【図２】
2022002683.tif 000004
【図３】
2022002683.tif 000005
【図４】
2022002683.tif 000006
【図５】
2022002683.tif 000007
【図６】
2022002683.tif 000008
【図７】
2022002683.tif 000009
【図８】
2022002683.tif 000010
【図９】
2022002683.tif 000011
【図１０】
2022002683.tif 000012
【図１１】
2022002683.tif 000013
【図１２】
2022002683.tif 000014
【図１３】
2022002683.tif 000015
【図１４】
2022002683.tif 000016